(57)【要約】  中継強化型アクセスネットワークにおける信号送信の最適化。中継強化型アクセスネットワークの少なくとも１つの中継ノードに関連する少なくとも１つの信号メッセージを、少なくとも１つの所定の信号インターフェイスを介して受け取ること、この少なくとも１つの信号メッセージから、それぞれの中継ノードに関連する信号を無関係性及び／又は冗長性に関して集中化すること、及びこの集中化した信号を信号メッセージに含め、少なくとも１つの所定の信号インターフェイスを介してそれぞれの中継ノードへ向けて転送することを例示的に含む、中継強化型アクセスネットワークにおける信号送信を最適化するための対策を提供する。この対策を、例示的に、中継強化型ＬＴＥアクセスネットワークにおけるＸ２メッセージングを最適化するために応用することができる。【選択図】図４
2013522941.tif 000002
【特許請求の範囲】
【請求項１】
中継強化型アクセスネットワークの少なくとも１つの中継ノードに関連する少なくとも１つの信号メッセージを、少なくとも１つの所定の信号インターフェイスを介して受け取るステップと、
前記少なくとも１つの信号メッセージから、それぞれの中継ノードに関連する信号を無関係性及び／又は冗長性に関して集中化するステップと、
前記集中化した信号を信号メッセージに含め、前記少なくとも１つの所定の信号インターフェイスを介して前記それぞれの中継ノードへ向けて転送するステップと、
を含むことを特徴とする方法。
【請求項２】
前記集中化ステップが、
前記受け取った少なくとも１つの信号メッセージの信号のタイプを判定するステップと、
前記中継強化型アクセスネットワークの中継ノードから、前記判定した信号のタイプの関連する及び／又は非冗長な信号情報を収集するステップと、
前記収集した信号情報を前記信号メッセージに集約して転送するステップと、
を含むことを特徴とする請求項１に記載の方法。
【請求項３】
共通のドナー基地局により制御される中継ノードからの信号メッセージの受け取り、及び／又はこれらの中継ノードへの信号メッセージの転送を同期させるステップをさらに含む、
ことを特徴とする請求項１及び２のいずれか１項に記載の方法。
【請求項４】
前記信号のタイプが、前記中継強化型アクセスネットワーク内のユーザ装置のモビリティに関連すると判定された場合、前記収集され集約される信号情報が、前記ユーザ装置の前記モビリティが向かう中継ノードの関連する及び／又は非冗長なアドレス情報を含むことができる、
ことを特徴とする請求項２及び３のいずれか１項に記載の方法。
【請求項５】
前記信号のタイプが、負荷バランシング及び／又は干渉制御に関連すると判定された場合、前記収集され集約される信号情報が、関連する及び／又は非冗長な負荷情報、及び／又は前記中継強化型アクセスネットワークの中継ノード間のリソース分割についての関連する及び／又は非冗長な情報、及び／又は前記中継強化型アクセスネットワークの中継ノードにおける干渉レベルについての関連する及び／又は非冗長な情報を含むことができる、
ことを特徴とする請求項２から４のいずれか１項に記載の方法。
【請求項６】
前記集約ステップが、異なる中継ノードから収集された関連する及び／又は非冗長な信号情報に、それぞれの中継ノードからの前記信号情報が前記負荷バランシング及び／又は干渉制御に与える影響に従う重み付け係数によって重み付けすることを含む、
ことを特徴とする請求項５に記載の方法。
【請求項７】
前記中継強化型アクセスネットワークの基地局間で重み付け係数を交換するステップ、及び／又は自動近隣関係に従い、負荷情報及び／又はリソース分割及び／又は干渉レベルに基づいて適切な重み付け係数を割り当てるステップをさらに含む、
ことを特徴とする請求項６に記載の方法。
【請求項８】
前記方法が、前記少なくとも１つの中継ノードを制御するドナー基地局、前記少なくとも１つの中継ノードを制御していない非ドナー基地局、及び／又は前記少なくとも１つの中継ノードの中継ノードゲートウェイにおいて又はこれらによって実施可能であり、前記ドナー基地局、非ドナー基地局、及び／又は中継ノードゲートウェイは、ＬＴＥ及び／又はＬＴＥ−Ａｄｖａｎｃｅｄ仕様による進化型無線アクセスネットワークの一部であることができ、及び／又は、
前記少なくとも１つの所定の信号インターフェイスが、ＬＴＥ及び／又はＬＴＥ−Ａｄｖａｎｃｅｄ仕様によるＸ２インターフェイスであり、前記Ｘ２インターフェイスのピアが、前記ドナー基地局、非ドナー基地局、及び／又は中継ノードゲートウェイ、前記少なくとも１つの中継ノード、及び／又は前記少なくとも１つの中継ノードの１又はそれ以上の近隣中継ノードを含むことができる、
ことを特徴とする請求項１から７のいずれか１項に記載の方法。
【請求項９】
中継強化型アクセスネットワークの少なくとも１つの中継ノードに関連する少なくとも１つの信号メッセージを、少なくとも１つの所定の信号インターフェイスを介して受け取るように構成された受信機と、
前記少なくとも１つの信号メッセージから、それぞれの中継ノードに関連する信号を無関係性及び／又は冗長性に関して集中化するように構成されたコンセントレータプロセッサと、
前記集中化した信号を信号メッセージに含め、前記少なくとも１つの所定の信号インターフェイスを介して前記それぞれの中継ノードへ向けて転送するように構成された送信機と、
を備えることを特徴とする装置。
【請求項１０】
前記コンセントレータプロセッサが、
前記受け取った少なくとも１つの信号メッセージの信号のタイプを判定し、
前記中継強化型アクセスネットワークの中継ノードから、前記判定した信号のタイプの関連する及び／又は非冗長な信号情報を収集し、
前記収集した信号情報を前記信号メッセージに集約して転送する、
ように構成されることを特徴とする請求項９に記載の装置。
【請求項１１】
共通のドナー基地局により制御される中継ノードからの信号メッセージの受け取り、及び／又はこれらの中継ノードへの信号メッセージの転送を同期させるように構成されたシンクロナイザプロセッサをさらに備える、
ことを特徴とする請求項９及び１０のいずれか１項に記載の装置。
【請求項１２】
前記信号のタイプが、前記中継強化型アクセスネットワーク内のユーザ装置のモビリティに関連すると判定された場合、前記収集され集約される信号情報が、前記ユーザ装置の前記モビリティが向かう中継ノードの関連する及び／又は非冗長なアドレス情報を含むことができる、
ことを特徴とする請求項１０及び１１のいずれか１項に記載の装置。
【請求項１３】
前記信号のタイプが、負荷バランシング及び／又は干渉制御に関連すると判定された場合、前記収集され集約される信号情報が、関連する及び／又は非冗長な負荷情報、及び／又は前記中継強化型アクセスネットワークの中継ノード間のリソース分割についての関連する及び／又は非冗長な情報、及び／又は前記中継強化型アクセスネットワークの中継ノードにおける干渉レベルについての関連する及び／又は非冗長な情報を含むことができる、
ことを特徴とする請求項１０から１２のいずれか１項に記載の装置。
【請求項１４】
前記集約が、異なる中継ノードから収集された関連する及び／又は非冗長な信号情報に、それぞれの中継ノードからの前記信号情報が前記負荷バランシング及び／又は干渉制御に与える影響に従う重み付け係数によって重み付けすることを含む、
ことを特徴とする請求項１３に記載の装置。
【請求項１５】
前記コンセントレータプロセッサが、前記中継強化型アクセスネットワークの基地局間で重み付け係数を交換するステップ、及び／又は自動近隣関係に従い、負荷情報及び／又はリソース分割及び／又は干渉レベルに基づいて適切な重み付け係数を割り当てるようにさらに構成される、
ことを特徴とする請求項１４に記載の装置。
【請求項１６】
前記装置が、前記少なくとも１つの中継ノードを制御するドナー基地局、前記少なくとも１つの中継ノードを制御していない非ドナー基地局、及び／又は前記少なくとも１つの中継ノードの中継ノードゲートウェイとして又はこれらにおいて実施可能であり、前記ドナー基地局、非ドナー基地局、及び／又は中継ノードゲートウェイは、ＬＴＥ及び／又はＬＴＥ−Ａｄｖａｎｃｅｄ仕様による進化型無線アクセスネットワークの一部であることができ、及び／又は、
前記少なくとも１つの所定の信号インターフェイスが、ＬＴＥ及び／又はＬＴＥ−Ａｄｖａｎｃｅｄ仕様によるＸ２インターフェイスであり、前記Ｘ２インターフェイスのピアが、前記ドナー基地局、非ドナー基地局、及び／又は中継ノードゲートウェイ、前記少なくとも１つの中継ノード、及び／又は前記少なくとも１つの中継ノードの１又はそれ以上の近隣中継ノードを含むことができる、
ことを特徴とする請求項９から１５のいずれか１項に記載の装置。
【請求項１７】
装置のプロセッサ上で実行されたときに、請求項１から８のいずれか１項に記載の方法を実行するように設定されたソフトウェアコード部分を有するプログラムを含む、
ことを特徴とするコンピュータプログラム製品。
【請求項１８】
前記コンピュータプログラム製品が、前記ソフトウェアコード部分を記憶するコンピュータ可読媒体を含み、及び／又は前記プログラムが、前記プロセッサの内部メモリに直接ロード可能である、
ことを特徴とする請求項１７に記載のコンピュータプログラム製品。
【発明の詳細な説明】
【技術分野】
【０００１】
本発明は、中継強化型アクセスネットワークにおける信号送信の最適化に関する。
【背景技術】
【０００２】
（例えば、ＧＳＭ（登録商標）（グローバル・システム・フォー・モバイル・コミュニケーションズ）、ＧＰＲＳ（汎用パケット無線サービス）、ＵＭＴＳ（ユニバーサル移動体電気通信システム）のような）移動体通信システムなどの無線通信システムの開発では、これらの無線アクセス部分を進化させる努力が行われている。これに関連して、現在では、（例えば、ＧＳＭ（登録商標）  ＥＤＧＥ無線アクセスネットワーク（ＧＥＲＡＮ）及びユニバーサル地上波無線アクセスネットワーク（ＵＴＲＡＮ）などの）無線アクセスネットワークを進化させる取り組みが行われている。このような改善された無線アクセスネットワークは、（例えば、進化型地上波無線アクセスネットワーク（Ｅ−ＵＴＲＡＮ）などの）進化型無線アクセスネットワーク、或いはロングタームエボリューション（ＬＴＥ）又はＬＴＥ−Ａｄｖａｎｃｅｄの一部と称されることがある。このような名称は、主に３ＧＰＰ（第３世代パートナーシッププロジェクト）用語に由来するものであるが、以下におけるこれらの名称の使用は、それぞれの記載を３ＧＰＰ技術に限定するものではなく、一般に、基本となるシステムアーキテクチャを問わずあらゆる種類の無線アクセスの進化について触れるものである。別の適用可能な広帯域アクセスシステムの例としては、例えば、ＷｉＭＡＸ（ワールドワイド・インターオペラビリティ・フォー・マイクロウェーブ・アクセス）としても知られているＩＥＥＥ  ８０２．１６を挙げることができる。
【０００３】
以下では、理解を容易にするために、本発明及びその実施形態との関連で応用可能な広帯域無線アクセスネットワークの非限定的な例として、ＬＴＥ（３ＧＰＰ用語によるロングタームエボリューション）又はＬＴＥ−Ａｄｖａｎｃｅｄを取り上げる。しかしながら、以下で説明するものに匹敵する特徴及び特性を示す限り、あらゆる種類の無線アクセスネットワークを同様に応用することができる。
【０００４】
一般に、セルラーシステム、特にアクセスネットワークの開発では、１つの概念として通信中継が提案されてきた。通信中継では、ユーザ装置又は端末（ＵＥ）が、無線アクセスネットワーク（ＲＡＮ）の（ｅＮｏｄｅＢ又はｅＮＢなどと呼ばれる）無線基地局などのアクセスノードに、直接ではなく中継ノード（ＲＮ）を介して接続される。セルラーシステムにおけるカバー範囲を拡張するための概念として、中継ノードＲＮを経由する通信中継が提案されてきた。このカバー範囲の拡張という主な目的とは別に、中継概念の導入は、高シャドーイング環境において高ビットレートのカバー範囲を提供し、ユーザ装置における平均無線送信電力を削減し（これにより、バッテリー寿命が延びる）、セル容量及び実効スループットを強化し（例えば、セル端容量を増加させてセル負荷のバランスをとること）、無線アクセスネットワークの全体的な性能及び開発コストを高める上で役立つことができる。
【０００５】
図１に、例えば、無線中継拡張機能を備えたロングタームエボリューション（ＬＴＥ）ＲＡＮなどの中継強化型アクセスネットワークの典型的な展開シナリオの概略図を示す。図１に示すように、セル端及び／又は高シャドーイングエリアなどの不利な位置にあるＵＥは、それぞれのＲＮを介していわゆるドナー基地局（ＤｅＮＢ）に接続される。ＤｅＮＢとＲＮの間のリンクは、バックホールリンク、中継リンク、又はＵｎリンクと呼ぶことができ、ＲＮとＵＥの間のリンクは、アクセスリンク又はＵｕリンクと呼ぶことができる。
【０００６】
ＵＥの進化型パケットシステム（ＥＰＳ）ベアラを、異なるサービス品質（ＱｏＳ）パラメータを特徴とするコアネットワーク（ＣＮ）とＵＥの間の仮想接続と見なすことができ、従って、このベアラに属するトラフィックは、ゲートウェイとＵＥの間の異なるノード上でこれらのパラメータに従って処理される。一方、ＲＮとＤｅＮＢの間には、Ｕｎベアラとも呼ばれるＲＮベアラが定義される。ＵＥ  ＥＰＳベアラとＲＮベアラのマッピングは、（ＵＥ  ＥＰＳベアラごとに１つのＵｎベアラが存在する）１対１、又は（複数のＵＥ  ＥＰＳベアラが１つのＵｎベアラにマッピングされる）多対１のいずれかで行うことができる。多対１のマッピングは、ＱｏＳ要件などのマッピング基準に基づくこともでき、又はＵＥ単位で行うこともできる（すなわち、ＱｏＳに関わらず、所与のＵＥの全てのベアラに対して１つのＵｎベアラ）。
【０００７】
ＬＴＥ及びＬＴＥ−Ａｄｖａｎｃｅｄにおいては、現在のところ、タイプＩ  ＲＮとも呼ばれるレイヤ３（Ｌ３）ＲＮが、中継の拡張に関する研究の基本ケースと考えられている。現在では、中継アーキテクチャ候補として４つの選択肢が考えられており、これらの詳細については本発明の対象外である。この４つの中継アーキテクチャ候補は、２つのカテゴリに分類することができる。第１のカテゴリの中継アーキテクチャでは、ＤｅＮＢが、個々のＵＥ  ＥＰＳベアラを認識しない。すなわち、ＤｅＮＢからは、中継されるＵＥが見えず、ＤｅＮＢは、中継されるＵＥが接続されているＲＮしか認識しない。従って、このような中継アーキテクチャでは、多対１のマッピング、特にＱｏＳベースのマッピングのみがサポートされる（ＱｏＳマッピングは、例えば、サービス品質クラス識別子（ＱＣＩ）などのＱｏＳパラメータに従って、ＩＰヘッダのＴｙｐｅ  ｏｆ  Ｓｅｒｖｉｃｅ（ＴＯＳ）フィールドにマーキングすることを通じてＤｅＮＢよりも先にノード内で行われると仮定する）。
【０００８】
第２のカテゴリの中継アーキテクチャでは、ＤｅＮＢが、中継されるＵＥの全ての個々のＵＥ  ＥＰＳベアラを認識する。すなわち、ＤｅＮＢは、中継されるＵＥ、及び中継されるＵＥが接続されているＲＮを認識する。従って、このような中継アーキテクチャでは、（ＵＥ単位のマッピングを含む）多対１のマッピング及び１対１のマッピングをいずれもサポートすることが可能であり、ＵＥ  ＥＰＳベアラの情報がＤｅＮＢにおいて見えるので、ＤｅＮＢ自体においてマッピングを行うことができる。多対１のマッピングを使用する場合でも、第２のカテゴリのアーキテクチャでは、マッピング処理において（ＱＣＩに加えて）全てのＱｏＳパラメータを使用できるので、第１のカテゴリのアーキテクチャと比較して、より適切なマッピングを利用することができる。
【０００９】
ＤｅＮＢ−ＲＮのリンクとＲＮ−ＵＥのリンクとの間のリソースの分割は、ＤｅＮＢ及びＲＮに接続されているＵＥの数に応じて動的又は準動的に行うことができる。以下では、ＤｅＮＢに接続された各ＲＮに接続されているＵＥに各ＲＮがサービスを提供するために使用できるリソースをＤｅＮＢが割り当てる集中型リソース分割を前提とする。ＤｅＮＢによって割り当てられたリソースのみを利用できると仮定すれば、ユーザスケジューリングはＲＮにおいて行われる。ただし、同様に分散型リソース分割を使用することもできる。
【００１０】
ＬＴＥ及びＬＴＥ−Ａｄｖａｎｃｅｄにおいては（すなわち、リリース８仕様においては）、異なるベンダがＥ−ＵＴＲＡＮなどの無線アクセスネットワーク内に提供することができる無線基地局、すなわち２又はそれ以上のｅＮＢを相互接続するためのインターフェイスとして、いわゆるＸ２インターフェイスが指定されている。Ｘ２インターフェイスは、信号情報及びユーザデータの交換をサポートするようになっており、対応するｅＮＢ間に物理接続が存在しない場合でも実現可能なポイントツーポイントの論理インターフェイスである。
【００１１】
Ｘ２インターフェイス上における情報交換の主な目的は、ＵＥモビリティ、負荷バランシング、及びセル間干渉制御に関するものである。
【００１２】
ＵＥモビリティに関しては、Ｘ２インターフェイスが、ＵＥモビリティのためのデフォルトインターフェイスとして定義される。これにより、ソース及びターゲットｅＮＢが、コアネットワーク（ＣＮ）の関与を伴わずにＸ２インターフェイスを介して直接通信するので、ハンドオーバ準備中にかかる時間及びデータ転送時間が短縮されることによって全体的なハンドオーバ処理が加速する。
【００１３】
負荷バランシング（ＬＢ）に関しては、ＬＴＥ及びＬＴＥ−Ａｄｖａｎｃｅｄには集中型の無線リソース管理（ＲＲＭ）機能が存在せず、ＲＲＭは、非集中方式で行われる。従って、ｅＮＢの負荷間の潜在的な不均衡のバランスをとることができるように、近隣のｅＮＢ間で負荷情報を通信し合う必要がある。例えば、ハンドオーバ閾値パラメータを増加させて、すでに過負荷状態のｅＮＢに多くのＵＥがハンドオーバされるのを防ぐことができる。ＬＴＥ及びＬＴＥ−Ａｄｖａｎｃｅｄにおける負荷バランシング情報は、Ｘ２インターフェイスを介して送信される。
【００１４】
セル間干渉制御（ＩＣＩＣ）に関しては、ＬＴＥ及びＬＴＥ−Ａｄｖａｎｃｅｄでは再利用率（ｒｅｕｓｅ  ｆａｃｔｏｒ）＝１を使用しているため、負荷情報とは別に、ｅＮＢが近隣のセル内のリソース利用を認識することが有利である。ダウンリンクでのＩＣＩＣ動作では、ｅＮＢ間で相対的狭帯域送信電力（ＲＮＴＰ）ビットマップを通信して、リソースブロック（ＲＢ）ごとの送信しようと計画している相対電力を近隣に知らせる。ｅＮＢは、全ての近隣のｅＮＢからのＲＮＴＰビットマップから、例えば、近隣のほとんどが送信を行おうと計画している特定のＲＢ上のセル端ユーザをスケジュールしないように決定することができる。アップリンクでは、過負荷インジケータ（ＯＩ）及び高干渉インジケータ（ＨＩＩ）メッセージを使用してＩＣＩＣを容易にする。ＯＩは、各ＲＢの平均アップリンク干渉及びノイズを集約し、近隣のｅＮＢは、Ｘ２インターフェイスを介して互いにＯＩを通信し合い、このＯＩを最適なアップリンクスケジューリングに使用することができる。過去の送信に関する情報に基づく反応尺度であるＯＩと比較して、ＨＩＩは、ｅＮＢが近いうちにセル端のＵＥに特定のＲＢを使用する計画であることを示す事前尺度である。ＨＩＩは、Ｘ２インターフェイスを介して近隣のｅＮＢ間で通信され、このＨＩＩを使用して、近隣のｅＮＢに属するセル端ＵＥが同時に同じＲＢを使用するようにスケジュールされることによってアップリンクの信号対干渉雑音比が低下し、従ってアップリンクのスループットが低下するような状況を防ぐことができる。
【００１５】
（中継拡張機能を含まない）ＬＴＥ及びＬＴＥ−Ａｄｖａｎｃｅｄの背景における上述したＸ２インターフェイスの使用法に加え、現在では、通信中継及び中継強化型ＬＴＥ及びＬＴＥ−Ａｄｖａｎｃｅｄ環境の背景においてもＸ２インターフェイスを使用することが提案されている。この背景では、Ｅ−ＵＴＲＡＮなどの無線アクセスネットワーク内の中継ノード（ＲＮ）及びその関連するドナー基地局（ＤｅＮＢ）、その近隣の中継ノード（ＲＮ）、及び非ドナー基地局（ｅＮＢ）（本明細書では、非ドナーｅＮＢは、関連するＲＮの制御又はドナーｅＮＢでないｅＮＢを意味するが、これらのｅＮＢは、他のＲＮのＤｅＮＢであることもできる）の間にＸ２インターフェイスが指定される。
【００１６】
通信中継の背景におけるＸ２インターフェイスは、ハンドオーバシナリオにとって特に有利な場合がある。すなわち、中継ノードＲＮの導入とともに、特にＸ２インターフェイス機能とともに実装されると、ハンドオーバの頻度が増えることがある。さらに、ＤｅＮＢとＵＥの間の（ＲＮを介した）接続のマルチホップの性質により、非中継ベースのシステムよりもすでにハンドオーバ遅延が大きく、Ｘ２ハンドオーバがサポートされていない（すなわち、Ｓ１ハンドオーバのみ）場合には、ＬＴＥ−Ａｄｖａｎｃｅｄのハンドオーバ要件を満たすことができない場合がある。
【００１７】
ハンドオーバを容易にすることは別にして、上述したような通信中継の背景におけるＬＢ及びＩＣＩＣなどの他の目的のためにＸ２インターフェイスを使用することもできる。上述したＵＥ  ＥＰＳベアラの場合と同様に、第１のカテゴリの中継アーキテクチャでは、（ピアエンティティがＤｅＮＢ自体でない場合）ＲＮとそのピアノードの間のＸ２インターフェイスがＤｅＮＢにとって透過的である。第２のカテゴリの中継アーキテクチャでは、ＤｅＮＢが、ＲＮとそのピアの間のＸ２接続を認識している。
【００１８】
してみれば、Ｘ２インターフェイスの適用性には、ＬＴＥ／ＬＴＥ−Ａｄｖａｎｃｅｄの背景ではｅＮＢ間のＸ２インターフェイスが含まれ、通信中継の背景ではＲＮとＤｅＮＢ、ｅＮＢ及び／又はその他のＲＮとの間のＸ２インターフェイスが含まれる。従って、Ｘ２インターフェイス／接続を有するあらゆるノードを「Ｘ２ピア」とすることができ、このノードがｅＮＢであるか又はＲＮであるかは関係ない。
【００１９】
図２に、例えば、Ｘ２インターフェイスをサポートする無線中継拡張機能を備えたロングタームエボリューション（ＬＴＥ）ＲＡＮなどの中継強化型アクセスネットワークの展開シナリオの概略図を示す。明確にするために、ＲＮａのＸ２接続しか示していない。図２に示すように、中継ノードＲＮは、一方はそのＤｅＮＢへ向かい、他方はそのＤｅＮＢを介して近隣へ向かう２つのタイプのＸ２インターフェイス又は接続を有する。例えば、第１のセル内の中継ノードＲＮａは、同じセル内の関連するＤｅＮＢ１への、並びに別のセル内の２つの中継ノードＲＮｂ及びＲＮｃ（これらの関連するＤｅＮＢ２を介した）への、及び（ＤｅＮＢ１を介した）ＤｅＮＢ２へのＸ２インターフェイス又は接続を有する。さらに、これらの中継ノードのいずれのドナー基地局としても機能しない１又はそれ以上の他の基地局も存在し得る。図２に示すように、このような他の基地局を、ＤｅＮＢ１へのＸ２インターフェイス又は接続を有するｅＮＢ３とすることができる。
【００２０】
ＲＮとＤｅＮＢの間に直接的なＸ２接続が存在する通信中継の背景においてＸ２インターフェイスを使用すると、その全ての近隣のＲＮ及び非ドナーｅＮＢが、（例えば、リリース８の）ＬＴＥ／ＬＴＥ−Ａｄｖａｎｃｅｄの場合と同じように、リソース利用又は信号負荷などに関して以下のマイナスの影響を受けることがある。
【００２１】
基本的に、ＲＮとそのＸ２ピア（ＤｅＮＢ、ｅＮＢ、及び他のＲＮなど）の間で交換されるＸ２情報は、ＲＮとそのＤｅＮＢの間のＵｎインターフェイスを介して送信され、従って（主にｅＮＢ間の有線インターフェイスを介して動作するＬＴＥリリース８のＸ２インターフェイスとは異なり）高価な無線リソースを消費する。
【００２２】
ピアエンティティ間のＸ２接続は互いに独立しているので、ＲＮがそのピアへ向けてＩＣＩＣメッセージなどのＸ２情報を送信しているときには、Ｕｎインターフェイスを介して同じ情報を不必要に、すなわち複数回送信する必要がある。
【００２３】
図３に、無線中継拡張機能を備えたロングタームエボリューション（ＬＴＥ）ＲＡＮなどの中継強化型アクセスネットワークの展開シナリオの概略図を示し、負荷バランシングなどを目的とするＸ２信号メッセージを示している。図３に示すように、ＲＮａが、ＤｅＮＢ１、ＲＮｂ、及びＲＮｃへ向けて同じ信号情報を送信しており、このことを実線、破線、及び点線矢印によって示している。ＤｅＮＢ１における受信後、これらのＲＮｂ及びＲＮｃ宛てのＸ２メッセージはＤｅＮＢ２に転送され、その後それぞれのＲＮに転送される。従って、Ｕｎインターフェイス（すなわち、ＲＮａとＤｅＮＢ１の間のＸ２インターフェイス）を介して送信されるＸ２メッセージのうちの２つ、並びに２つのＤｅＮＢ間のＸ２インターフェイス上のＸ２メッセージの一方は冗長である。非ドナーｅＮＢ３は、この例のシナリオによるこのような負荷バランシングを目的とした信号送信には関与していないが、異なるシナリオでは関与し得ることが明らかである。
【００２４】
例えば、異なるセル内の２つのＸ２ピア中継ノード間で、（論理的観点から）これらのドナー基地局ＤｅＮＢが関与せずに負荷バランシングを行った場合、すでに負荷が生じているＤｅＮＢが過負荷になる状況が生じることがある。なぜなら、第１の中継ノードの負荷が軽いと思われるのに対し、そのドナー基地局ＤｅＮＢは過負荷状態であり、ここに第２の中継ノードのＸ２ピアが第１の中継ノードに負荷を転送しようと試みることで、Ｕｎインターフェイスを介したリソースの割り当てを通じて中継ノードの負荷がそのＤｅＮＢによって間接的に共有されることによりＤｅＮＢの過負荷状態が悪化し得るからである。この問題には、ドナーセル内のバックホールリンクが受ける負荷も考慮に入れてハンドオーバ閾値を設定することによって対処できるが、このような方法により、Ｘ２インターフェイスを介して同じ情報が不必要に何度も送信されるという問題に適切に対処することはできない。
【００２５】
例えば、異なるセル内の２つのＸ２ピア中継ノード間で、（論理的観点から）これらのドナー基地局ＤｅＮＢが関与せずに干渉制御を行った場合、無関係な情報が信号送信される状況が生じることがある。なぜなら、第２の中継ノードには、互いに直交するという理由で第１の中継ノードのリソースとは決して干渉しないと思われるリソースが割り当てられているものの、第１の中継ノードが、第１の中継ノード自体のリソースに関する干渉情報を第２の中継ノードへ向けて送信することがあるからである。換言すれば、Ｘ２メッセージが特定の中継ノードに関連しているかどうかに関わらず、この特定の中継ノードが、その近隣の各々からこれらのメッセージを受け取ることがある。これにより、Ｘ２インターフェイスを介して無関係な情報が潜在的に何度も不必要に送信されるという問題が生じる。
【００２６】
例えば、（非常に）密度の高い中継ノードの展開を仮定した場合、必要とされるＳＣＴＰ（ストリーム制御送信プロトコル）アソシエーションがきわめて高くなることがあり、従ってこれらのＳＣＴＰアソシエーションを維持する上でかなりのオーバーヘッドが生じ得る。
【００２７】
例えば、中継ノードが移動体である場合、この中継ノードがドナー基地局を変更するときには常に、新たなドナー基地局のみならず、近隣のセルの全ての近隣の非ドナー基地局、及びこの中継ノードが発見した新たな近隣の中継ノードともＸ２接続を確立する必要があると考えられ、これにより、Ｕｎインターフェイス上にかなりの遅延及びオーバーヘッドが生じ得る。
【００２８】
要約すれば、中継強化型アクセスネットワークにおいて現行の仕様によるＸ２信号通信を採用することは、近隣のノード間で冗長かつ無関係なメッセージが送信されるようになるという理由により、リソース利用の面で非効率的である。
【００２９】
このため、ＬＴＥにおけるドナー基地局はプロキシ機能をサポートし、下位の中継ノードのＸ２メッセージのためのキャッシュポイントとして機能すべきであることが提案されてきた。すなわち、ＤｅＮＢが、その中継ノード情報（例えば、リソースステータス情報又は干渉情報）を求めるＸ２メッセージ要求を近隣の非ドナー基地局ｅＮＢから受け取った場合、このＤｅＮＢは、（その中継ノードの代わりに）要求に応答する義務を有することができる。ＤｅＮＢは、要求されたそのＲＮに関する情報を有していないときにのみ、ＲＮに新たな要求を送信するようになる。これに対応して、ＲＮは、その近隣のｅＮＢ又は近隣のＲＮの情報を要求する場合、そのＤｅＮＢに要求を送信することができ、その後、このＤｅＮＢが、この要求を転送すること又はＤｅＮＢのキャッシュから要求に直接応答する（従ってリソースを節約する）ことのいずれかによって、対応する情報でＲＮに確認応答する義務を有するようになる。
【００３０】
しかしながら、この方法は、冗長性の問題に部分的にしか対処しておらず、Ｘ２メッセージの関連性の問題には全く対処していない。すなわち、ＲＮの全ての近隣が依然として同じ情報を受け取り、これらの情報の少なくとも一部は近隣の一部に対して無関係であるため、このことはＵｎリンク上のリソースの無駄である。例えば、ＲＮが、総リソースブロックの３分の１をこのＲＮ自体のセル内で使用しているリソース分割パターンの場合、総リソースブロックの残り３分の２に関する情報をこのＲＮへ向けて転送することは無意味である。しかしながら、現行の方法では、無関連性に起因するこのようなリソースの無駄を防ぐことができない。
【００３１】
なお、上記では、（論理）信号インターフェイスの非限定的な例としてＸ２インターフェイスを使用しているが、Ｘ２インターフェイスに匹敵する特徴及び特性を示す限り、あらゆる種類の信号インターフェイスを同様に適用することができる。
【００３２】
従って、中継強化型アクセスネットワークにおける信号送信の効率的な最適化を容易にするための実現可能な解決策は存在しない。
【発明の概要】
【発明が解決しようとする課題】
【００３３】
本発明及びその実施形態は、上記の問題の解決を図るものである。
【課題を解決するための手段】
【００３４】
本発明及びこの実施形態は、中継強化型アクセスネットワークにおける信号送信の効率的な最適化を容易にするための実現可能な解決策を提供するために成されたものである。
【００３５】
本発明の例示的な第１の態様によれば、中継強化型アクセスネットワークの少なくとも１つの中継ノードに関連する少なくとも１つの信号メッセージを、少なくとも１つの所定の信号インターフェイスを介して受け取るステップと、この少なくとも１つの信号メッセージから、それぞれの中継ノードに関連する信号を無関係性及び／又は冗長性に関して集中化するステップと、この集中化した信号を信号メッセージに含め、少なくとも１つの所定の信号インターフェイスを介してそれぞれの中継ノードへ向けて転送するステップと、を含む方法が提供される。
【００３６】
本発明のさらなる発展又は修正によれば、以下のうちの１又はそれ以上が当てはまる。
−  集中化ステップは、受け取った少なくとも１つの信号メッセージの信号のタイプを判定するステップと、中継強化型アクセスネットワークの中継ノードから、判定した信号のタイプの関連する及び／又は非冗長な信号情報を収集するステップと、ｋの収集した信号情報を信号メッセージに集約して転送するステップと、を含む。
−  この方法は、共通のドナー基地局により制御される中継ノードからの信号メッセージの受け取り、及び／又はこれらの中継ノードへの信号メッセージの転送を同期させるステップをさらに含む。
−  信号のタイプが、中継強化型アクセスネットワーク内のユーザ装置のモビリティに関連すると判定された場合、収集され集約される信号情報は、ユーザ装置のモビリティが向かう中継ノードの関連する及び／又は非冗長なアドレス情報を含むことができる。
−  信号のタイプが、負荷バランシング及び／又は干渉制御に関連すると判定された場合、収集され集約される信号情報は、関連する及び／又は非冗長な負荷情報、及び／又は中継強化型アクセスネットワークの中継ノード間のリソース分割についての関連する及び／又は非冗長な情報、及び／又は中継強化型アクセスネットワークの中継ノードにおける干渉レベルについての関連する及び／又は非冗長な情報を含むことができる。
−  前記集約ステップは、異なる中継ノードから収集された関連する及び／又は非冗長な信号情報に、それぞれの中継ノードからの信号情報が負荷バランシング及び／又は干渉制御に与える影響に従う重み付け係数によって重み付けすることを含む。
−  この方法は、中継強化型アクセスネットワークの基地局間で重み付け係数を交換するステップ、及び／又は自動近隣関係に従い、負荷情報及び／又はリソース分割及び／又は干渉レベルに基づいて適切な重み付け係数を割り当てるステップをさらに含む。
−  この方法は、前記少なくとも１つの中継ノードを制御するドナー基地局、前記少なくとも１つの中継ノードを制御していない非ドナー基地局、及び／又は前記少なくとも１つの中継ノードの中継ノードゲートウェイにおいて又はこれらによって実施可能であり、前記ドナー基地局、非ドナー基地局、及び／又は中継ノードゲートウェイは、ＬＴＥ及び／又はＬＴＥ−Ａｄｖａｎｃｅｄ仕様による進化型無線アクセスネットワークの一部であることができ、及び／又は、
−  少なくとも１つの所定の信号インターフェイスは、ＬＴＥ及び／又はＬＴＥ−Ａｄｖａｎｃｅｄ仕様によるＸ２インターフェイスであり、Ｘ２インターフェイスのピアが、前記ドナー基地局、非ドナー基地局、及び／又は中継ノードゲートウェイ、前記少なくとも１つの中継ノード、及び／又は前記少なくとも１つの中継ノードの１又はそれ以上の近隣中継ノードを含むことができる。
【００３７】
本発明の例示的な第２の態様によれば、中継強化型アクセスネットワークの少なくとも１つの中継ノードに関連する少なくとも１つの信号メッセージを、少なくとも１つの所定の信号インターフェイスを介して受け取るように構成された受信機と、この少なくとも１つの信号メッセージから、それぞれの中継ノードに関連する信号を無関係性及び／又は冗長性に関して集中化するように構成されたコンセントレータプロセッサと、この集中化した信号を信号メッセージに含め、少なくとも１つの所定の信号インターフェイスを介してそれぞれの中継ノードへ向けて転送するように構成された送信機と、を備える装置が提供される。
【００３８】
本発明のさらなる発展又は修正によれば、以下のうちの１又はそれ以上が当てはまる。
−  前記コンセントレータプロセッサは、受け取った少なくとも１つの信号メッセージの信号のタイプを判定し、中継強化型アクセスネットワークの中継ノードから、この判定した信号のタイプの関連する及び／又は非冗長な信号情報を収集し、この収集した信号情報を信号メッセージに集約して転送するように構成される。
−  この装置は、共通のドナー基地局により制御される中継ノードからの信号メッセージの受け取り、及び／又はこれらの中継ノードへの信号メッセージの転送を同期させるように構成されたシンクロナイザプロセッサをさらに備える。
−  信号のタイプが、中継強化型アクセスネットワーク内のユーザ装置のモビリティに関連すると判定された場合、収集され集約される信号情報が、ユーザ装置のモビリティが向かう中継ノードの関連する及び／又は非冗長なアドレス情報を含むことができる。
−  信号のタイプが、負荷バランシング及び／又は干渉制御に関連すると判定された場合、収集され集約される信号情報が、関連する及び／又は非冗長な負荷情報、及び／又は中継強化型アクセスネットワークの中継ノード間のリソース分割についての関連する及び／又は非冗長な情報、及び／又は中継強化型アクセスネットワークの中継ノードにおける干渉レベルについての関連する及び／又は非冗長な情報を含むことができる。
−  前記集約は、異なる中継ノードから収集された関連する及び／又は非冗長な信号情報に、それぞれの中継ノードからの信号情報が負荷バランシング及び／又は干渉制御に与える影響に従う重み付け係数によって重み付けすることを含む。
−  コンセントレータプロセッサは、中継強化型アクセスネットワークの基地局間で重み付け係数を交換するステップ、及び／又は自動近隣関係に従い、負荷情報及び／又はリソース分割及び／又は干渉レベルに基づいて適切な重み付け係数を割り当てるようにさらに構成される。
−  この装置は、前記少なくとも１つの中継ノードを制御するドナー基地局、前記少なくとも１つの中継ノードを制御していない非ドナー基地局、及び／又は前記少なくとも１つの中継ノードの中継ノードゲートウェイとして又はこれらにおいて実施可能であり、前記ドナー基地局、非ドナー基地局、及び／又は中継ノードゲートウェイは、ＬＴＥ及び／又はＬＴＥ−Ａｄｖａｎｃｅｄ仕様による進化型無線アクセスネットワークの一部であることができ、及び／又は、
−  少なくとも１つの所定の信号インターフェイスは、ＬＴＥ及び／又はＬＴＥ−Ａｄｖａｎｃｅｄ仕様によるＸ２インターフェイスであり、Ｘ２インターフェイスのピアが、前記ドナー基地局、非ドナー基地局、及び／又は中継ノードゲートウェイ、前記少なくとも１つの中継ノード、及び／又は前記少なくとも１つの中継ノードの１又はそれ以上の近隣中継ノードを含むことができる。
【００３９】
本発明の例示的な第３の態様によれば、装置のプロセッサ上で実行されたときに、本発明の第１の態様及び／又はさらなる発展又は修正のいずれか１つによる方法を実行するように設定されたソフトウェアコード部分を有するプログラムを含むコンピュータプログラム製品が提供される。
【００４０】
本発明のさらなる発展又は修正によれば、このコンピュータプログラム製品は、ソフトウェアコード部分を記憶するコンピュータ可読媒体を含むことができ、及び／又はプログラムをプロセッサの内部メモリに直接ロードすることができる。
【００４１】
本発明の例示的な実施形態として、中継強化型アクセスネットワークにおける信号インターフェイスを改善するための機構及び対策を提供し、これにより無線リソース及びバックホールリソースが最適な形で使用されることを確実にすることができる。これは、信号インターフェイス上の信号を集中化して、非冗長な及び／又は関連する情報のみが信号インターフェイスを介して交換されるようにすることにより達成することができる。
【００４２】
本発明の例示的な実施形態として、信号インターフェイスはＸ２インターフェイスとすることができ、及び／又は中継強化型アクセスネットワークは、Ｅ−ＵＴＲＡＮなどのＬＴＥ／ＬＴＥ−Ａｄｖａｎｃｅｄ仕様に基づくことができる。
【００４３】
本発明の例示的な実施形態として、冗長な及び／又は無関係なＸ２メッセージを減少させることにより、無線中継強化型システム内の総Ｘ２トラフィックが減少し、これにより貴重な無線及びバックホールリソースを節約することができる。
【００４４】
以下、添付図面を参照しながら、本発明を非限定的な例としてより詳細に説明する。
【図面の簡単な説明】
【００４５】
【図１】中継強化型アクセスネットワークの典型的な展開シナリオの概略図である。
【図２】Ｘ２インターフェイスをサポートする無線中継拡張機能を備えた中継強化型アクセスネットワークの展開シナリオの概略図である。
【図３】Ｘ２信号メッセージングを例示する中継強化型アクセスネットワークの展開シナリオの概略図である。
【図４】図２に示す展開シナリオに基づく、本発明の例示的な実施形態による手順の信号送信図である。
【図５】本発明の例示的な実施形態による重み付けテーブルの説明図である。
【図６】本発明の例示的な実施形態による装置のブロック図である。
【発明を実施するための形態】
【００４６】
本明細書では、本発明について、特定の非限定的な例、及び現在のところ本発明の考えられる実施形態であると見なされるものを参照しながら説明する。当業者であれば、本発明は、決してこれらの例に限定されるものではなく、より広範にわたって適用できることを理解するであろう。
【００４７】
特に、本発明及びその実施形態は、いくつかの例示的なネットワーク構成及び展開の非限定的な例として使用する３ＧＰＰ仕様との関連で主に説明するものである。詳細には、このように説明する例示的な実施形態の適用性を表す非限定的な例として、ＬＴＥ（Ｅ−ＵＴＲＡＮ）無線アクセスネットワーク及び対応する標準規格（リリース８、リリース９、及びＬＴＥ−Ａｄｖａｎｃｅｄ）を使用する。従って、本明細書に示す例示的な実施形態の説明では、これらに直接関連する用語を具体的に引用する。このような用語は、提示する非限定的な例との関連においてのみ使用するものであり、当然ながら決して本発明を限定するものではない。むしろ、本明細書で説明する特徴に適合する限り、他のあらゆるネットワーク構成又はシステム展開などを利用することもできる。
【００４８】
特に、本発明の実施形態は、信号送信の最適化を必要とするあらゆる中継強化型（セルラー）システムで応用することができる。本発明の実施形態は、３ＧＰＰ（第３世代パートナーシッププロジェクト）又はＩＥＴＦ（インターネット・エンジニアリング・タスクフォース）仕様に基づく、あらゆる考えられる移動体／無線通信ネットワークを含むあらゆる種類の最新の及び将来の通信ネットワークに／で応用することができる。
【００４９】
以下、本発明の様々な実施形態及び実施構成、並びにその態様又は実施形態について、いくつかの代替例を使用して説明する。なお、一般に、特定のニーズ及び制約によれば、これらの説明する代替例は全て、単独で提供することも、又は考えられるあらゆる組み合わせ（様々な代替例の個々の特徴の組み合わせも含む）で提供することもできる。
【００５０】
以下、本発明の例示的な実施形態について、方法、手順、及び機能を参照しながら説明する。
【００５１】
本発明の例示的な実施形態によれば、コンセントレータユニットによる信号集中機能が提供される。以下、例示的にＸ２コンセントレータと呼ぶこのようなコンセントレータユニットは、基礎を成す中継強化型アクセスネットワーク内の下位の１又は複数の中継ノードに代わって作動するように構成される。例えば、このＸ２コンセントレータを、図２及び図３によるＲＮａのＤｅＮＢ１のようなドナー基地局として動作する基地局に、及び／又はそれぞれの１又は複数の中継ノードにサービスを提供するシグナリングゲートウェイ機能（ＳＧＷ）又はパケットゲートウェイ機能（ＰＧＷ）などの中継ノードゲートウェイに設けることができる。
【００５２】
上述した考えられる中継アーキテクチャのカテゴリ化を参照すると、本発明の例示的な実施形態によるＸ２コンセントレータの組み込みは、以下ようになり得る。
【００５３】
第２のカテゴリの中継アーキテクチャでは、ドナー基地局（ＤｅＮＢ）が、その下位のいずれか１つとピア（すなわち、Ｘ２インターフェイスの終点）の間のＸ２メッセージングを認識しているので、Ｘ２コンセントレータをＤｅＮＢに実装することにより、本発明による信号送信の最適化を実現することができる。第１のカテゴリの中継アーキテクチャでは、ドナー基地局（ＤｅＮＢ）を、その１又は複数の中継ノードのＸ２メッセージを「傍受」できるようにアップグレードして、そこにＸ２コンセントレータを実装することにより、或いは１又は複数のそれぞれの中継ノードにサービスを提供する中継ノードゲートウェイにＸ２コンセントレータを実装することにより、本発明による信号送信の最適化を実現することができる。中継ノードゲートウェイは、１又は複数のそれぞれの中継ノードのドナー基地局に実装してもよいし、又はそこから離れて実装してもよい。すなわち、ＤｅＮＢ以外のノードがＸ２コンセントレータ機能を実行することもでき、関連するＸ２プロトコルレイヤ機能をＲＮゲートウェイプロトコルスタックの上位に含めることによってこれを実現することができる。
【００５４】
図４に、図２に示す展開シナリオに基づく、本発明の例示的な実施形態による手順の信号送信図を示す。図４では、例示的に、Ｘ２コンセントレータ機能が、中継ノードＲＮａのＤｅＮＢ、従って中継ノードＲＮａを制御するＤｅＮＢであるＤｅＮＢ１に配置されていると仮定とする。すなわち、この図は、上述した第２のカテゴリの中継アーキテクチャに、又はＸ２メッセージを傍受して修正できるようにＤｅＮＢをアップグレードした上述の第１のカテゴリの中継アーキテクチャにそのまま応用することができる。
【００５５】
なお、図４による例では、Ｘ２コンセントレータ機能が、中継ノードＲＮｂ及びＲＮｃのＤｅＮＢ、従って中継ノードＲＮｂ及びＲＮｃを制御するＤｅＮＢであるＤｅＮＢ２にも配置されている。この構成は、ＲＮｂ及びＲＮｃからＲＮａへ向けられるメッセージの集中化という点では特に有用であるが、ＤｅＮＢ１に加えてＤｅＮＢ２もＸ２コンセントレータ機能を含む必要はない。
【００５６】
本発明の例示的な実施形態によれば、このように示す信号送信を、上述したような中継拡張機能を備えたＬＴＥ  Ｅ−ＵＴＲＡＮアクセスネットワークに例示的に適用することができる。例えば、本発明の例示的な実施形態を、ＬＴＥ／ＬＴＥ−Ａｄｖａｎｃｅｄ仕様のリリース１０及びそれ以降に使用することができる。
【００５７】
本発明の実施形態の基本として、Ｘ２接続性、すなわちＸ２インターフェイス仕様による接続性が、基礎となる中継強化型アクセスネットワークのネットワーク要素間、この例では、中継ノードＲＮａ、そのドナー基地局ＤｅＮＢ１、中継ノードＲＮｂ／ＲＮｃ、そのドナー基地局ＤｅＮＢ２、及び非ドナーｅＮＢ３の間に確立されると仮定する。このようなＸ２接続性を実現するために、ＲＮａの観点から２つの方法が等しく考えられる。第１に、ＲＮａなどの問題の中継ノードが、そのＤｅＮＢ及びこの中継ノードが発見する全ての近隣セル（すなわち、非ドナー基地局ｅＮＢ又は他のＲＮに属すセル）とＸ２接続を形成し、このＤｅＮＢがＸ２メッセージを傍受し、これらに基づいて動作することができる。第２に、ＲＮａなどの問題の中継ノードが、そのＤｅＮＢとのみＸ２接続を形成し、この中継ノードは、いずれかの近隣を発見すると、これらの発見した近隣をＤｅＮＢに知らせ、このＤｅＮＢが、ＲＮａに代わって近隣とのＸ２接続を形成することができる。
【００５８】
図４に示すように、ＤｅＮＢ１のＸ２コンセントレータ（例えば、その受信機）は、図２に示すようなそのＸ２ピア（ＤｅＮＢ２及びＲＮａなど）及び／又はその下位ＲＮのＸ２ピア（ＲＮｂ／ＲＮｃ／非ドナーｅＮＢ３など）から、それぞれのＸ２インターフェイス又は接続を介して１又はそれ以上のＸ２信号メッセージを受け取る。これらの受け取ったＸ２信号メッセージは、ＤｅＮＢ１により制御される同じ中継ノードＲＮａに関連するものと見なされる。上述したように、この例では、ＤｅＮＢ２にもＸ２コンセントレータが存在し、このＸ２コンセントレータが、ＲＮａへ向けられるＸ２メッセージを集中化する（すなわち、ＤｅＮＢ２からＤｅＮＢ１へ送信される集中化されたＸ２メッセージは、ＤｅＮＢ２にコンセントレータが存在しなければ、ＤｅＮＢ２、ＲＮｂ、及びＲＮｃから送信されていたであろう別個のＸ２メッセージで構成された関連する集約されたＩＣＩＣ及びＬＢ情報を含む）。次に、ＤｅＮＢ１のＸ２コンセントレータ（例えば、そのプロセッサ）は、受け取ったＸ２信号メッセージから、中継ノードＲＮａに関連する信号を無関係性及び／又は冗長性に関して集中化する。その後、ＤｅＮＢ１のＸ２コンセントレータ（例えば、その送信機）は、この集中化された信号をＸ２信号メッセージに含め、それぞれのＸ２インターフェイス又は接続を介して関連する中継ノードＲＮａへ向けて転送する。特定のＲＮへ送信されるＸ２メッセージは、その全てのピアから受け取ったＸ２メッセージ（及びこれらのコンテンツ）を集中化／集約したバージョンである。
【００５９】
図示の手順を、それぞれのドナー基地局により制御される中継ノードごとに行うことができ、これを事実上同時に及び／又は連続的に行うことができる。
【００６０】
これにより、すなわち個々のＸ２信号メッセージのいずれか１つを転送しないようにすること、及びこのようにして受け取った信号情報を、関連する中継ノードに関する冗長性及び／又は無関係性に関して集約することにより、転送される信号メッセージの数を減少させ、Ｕｎリンク上及びＵｕリンク上の両方のリソースを効率的に節約することができる。
【００６１】
なお、図４に示す動作の順序は例示的なものであり、異なってもよい。例えば、ＤｅＮＢ１において最初のＸ２信号メッセージを受け取ることによりＸ２集中化機能を開始し、この時点でさらなるＸ２信号メッセージが受け取られるのを待ち、その後（すなわち、十分な信号情報が収集されたときに）、実際のＸ２集中化機能を実行してもよい。
【００６２】
本発明の例示的な実施形態によれば、関連する信号のタイプに基づいて信号集中化を実行することができる。その場合、図４に示すように、信号集中化は、受け取った１又は複数のＸ２信号メッセージの信号のタイプを判定すること、この判定した信号のタイプに関連する及び／又は非冗長な信号情報を収集すること、並びにこの収集した関連する及び／又は非冗長な信号情報を、関連する中継ノードに転送する集中化されたＸ２信号メッセージに集約することを含む。
【００６３】
図４の例では、ＤｅＮＢ１において受け取られるＸ２信号メッセージが、負荷バランシング（ＬＢ）及び／又は（セル間）干渉制御（ＩＣＩＣ）に関連するタイプであると仮定する。この場合、全ての（ハンドオーバを処理していない）Ｘ２メッセージが傍受され、これらが直ちに転送されるのではなく、（冗長でなければ）他の関連する情報が収集され集約された後に転送される。関連する信号情報は、中継強化型アクセスネットワークの負荷情報、及び／又は中継ノード間のリソース分割、及び／又は中継強化型アクセスネットワークの中継ノードにおける干渉レベルを含む。
【００６４】
図４には示していないが、ＤｅＮＢ１において受け取られるＸ２信号メッセージは、中継強化型アクセスネットワーク内のユーザ装置のモビリティ、すなわちハンドオーバに関連するタイプの場合もある。この場合、下位中継ノードから受け取った、ハンドオーバを処理しているＸ２メッセージが傍受され、目的とするＸ２ピア、すなわちユーザ装置のモビリティが向かう中継ノードへ向けて直ちに転送される。上述した第２の方法によるＸ２接続の確立の場合、すなわちＲＮがそのＤｅＮＢとのみＸ２接続を形成する場合には、直接的なＸ２接続が存在しないので、必要に応じていくつかのアドレス指定情報を変更することができる。同様に、ハンドオーバを処理しているＸ２メッセージがＤｅＮＢにおいて受け取られ、このＸ２メッセージが下位のＲＮを対象としている場合、このＤｅＮＢは、このＸ２メッセージもＲＮに直接転送する。関連する信号情報は、ユーザ装置のモビリティが向かう中継ノードのアドレス情報を含む。
【００６５】
この点に関して、ＲＮは、その全ての近隣へのＸ２接続を有することができるが、これらのＲＮは、そのそれぞれのＤｅＮＢとの間でしかＩＣＩＣ及びＬＢメッセージを（好ましくは、各メッセージを１回しか）送信及び／又は受信しないので、これによりＵｎインターフェイスを介した冗長性問題が解消される。
【００６６】
換言すれば、例えばＤｅＮＢ１のＸ２コンセントレータは、受け取っているＸ２メッセージから関連する情報を収集し、これらの（集約された信号コンテンツを含む）集中化／集約されたバージョンをそのピア及びその下位のＲＮのピア、すなわち問題の１又は複数の中継ノードの近隣へ向けて転送することができる。
【００６７】
本発明の例示的な実施形態によれば、Ｘ２コンセントレータ（例えば、そのプロセッサ）が、信号メッセージの受信及び／又は転送を同期させることができる。一方では、Ｘ２コンセントレータが、その全ての下位ＲＮのＸ２メッセージのタイミングを、Ｘ２メッセージが下位ＲＮの全てからほぼ同時に受け取られるように任意に設定することができる。これにより、集約されたＸ２メッセージに、ほぼ最新の情報を確実に含めることができるようになる。また一方では、これとは別に又はこれに加えて、Ｘ２コンセントレータが、その下位ＲＮの全てにＸ２メッセージングを送出するタイミングを任意に同期的に設定することができる。これにより、集中化された信号情報を、調整された時間及び同じ周期性でＲＮに確実に提供できるようになる。
【００６８】
本発明の例示的な実施形態によれば、Ｘ２コンセントレータは、特定の（下位）ＲＮへ送信する複合メッセージを、以下のような要因を考慮することによって作成できるという点で関連性問題に対処することができる。
【００６９】
信号情報の関連性に関する考えられる要因は、近隣中継ノード間のリソース分割に関連する。すなわち、関連するＲＮに関するリソースブロック（ＲＢ）のみを考慮すべきである。例えば、現在のリソース分割の設定が、直交するリソースブロックの組を２つの近隣ＲＮが使用するようになっている場合、この２つのＲＮ間でＸ２メッセージングを通信する必要はない。なぜなら、リソースの直交性に起因して、これらのＲＮ間に干渉が生じることは考えられないからである。
【００７０】
信号情報の関連性に関する考えられる要因は、干渉レベルに関連する。異なる近隣から受け取る干渉はレベルが異なり、従ってＸ２メッセージを組み合わせる際には、このことを適切に考慮すべきである。例えば、２つの近隣ＲＮ間に干渉がない場合、これらのＲＮ間で干渉情報を交換する必要はない。
【００７１】
本発明の例示的な実施形態によれば、それぞれの中継ノードからの信号情報が負荷バランシング及び／又は干渉制御に与える影響に応じた重み付け係数を適用することにより、干渉レベルの考慮を実現することができる。すなわち、特定の信号情報の影響が大きいほど、それぞれの中継ノードから収集された対応する信号情報に重み付けするための重み付け係数を大きくする。例えば、非常に近接する他のセルの中継ノードなどの、干渉度が高いピアに属する値には、より大きく重み付けすべきである。
【００７２】
一方では、基地局が、そのＲＮに使用している重み付け係数を互いに交換することができる。従って、特定のＲＮに対するＸ２メッセージの重み付けを、ＤｅＮＢにおいてだけでなく、他の近隣ＲＮが存在し得る非ドナーｅＮＢにおいても行うことができる。また一方では、これとは別に又はこれに加えて、基地局が、負荷情報及び／又はリソース分割及び／又は干渉レベルに基づいて、適切な重み付け係数を割り当てることができる。従って、Ｘ２メッセージの重み付けを動的に調整することができる。
【００７３】
例えば、重み付け係数の適切な割り当てを、自動近隣関係に従って（例えば、Ｘ２コンセントレータのプロセッサにより）行うことができる。
【００７４】
自己組織化ネットワーク（ＳＯＮ）の提案によれば、ｅＮＢなどの基地局において、ＵＥ測定に基づいて自動近隣関係（ＡＮＲ）を維持することができる。この点に関して、ＵＥは、検出したセルの基準信号受信電力（ＲＳＲＰ）の強度を送信することができ、（関連するＲＮのＤｅＮＢなどの）ｅＮＢは、この報告されたＲＳＲＰのレベルに基づいて、報告されたセルを近隣リストに加えるように決定するとともに、将来的なハンドオーバ、ＬＢ及びＩＣＩＣ通信を容易にするために近隣基地局又はセルとの間にＸ２接続を確立するように決定することができる。
【００７５】
本発明の例示的な実施形態によれば、この概念を利用（及び拡張）して、上述したようなＸ２メッセージの集中化／集約に使用する重み付け係数を識別することができる。特定のセルからの報告されたＲＳＲＰ強度値を長期にわたって平均化し、これを他のセルのＲＳＲＰ強度値と比較することにより、中継ノードは、その近隣の全ての相対的干渉レベルを検出することができる。所与の中継ノードに関して十分な統計が収集されると、この情報を中継ノードからそのＤｅＮＢへ送信して、Ｘ２メッセージを集約する際にＤｅＮＢが適切な重み付け係数を適用できるようにすることができる。リリース８のＸ２アプリケーションプロトコルは、（Ｘ２セットアップ要求中、又はＸ２近隣リスト更新メッセージ中に近隣のセル識別子を含めることによる）近隣リストの通信しかサポートしていないので、本発明の例示的な実施形態は、干渉レベルの通信をサポートするための拡張を実現する。従って、適切な重み付け係数を通信するために、本発明の例示的な実施形態は、Ｘ２信号メッセージに干渉レベルも含めるように埋め込むことができる新規のＸ２情報要素（ＩＥ）、及び／又は所与の（単複の）セル（の組）の干渉レベルのみを通信することができる新規のＸ２メッセージを提供する。
【００７６】
図５に、重み付け係数に基づくＸ２集中化の概念を示す。
【００７７】
図５は、本発明の例示的な実施形態による重み付けテーブルの説明図である。図５では、２つの近隣（マクロ）セルが存在する例を例示的に仮定しており、第１のセル内に２つの中継ノードＲＮ１及びＲＮ２、並びにこれらのドナー基地局ＤｅＮＢ−Ｘが存在し、第２のセル内に２つの中継ノードＲＮ３及びＲＮ４、並びにこれらのドナー基地局ＤｅＮＢ−Ｙが存在する。
【００７８】
図５に示すように、ＤｅＮＢは、その関連するＲＮの各近隣の重み付け係数を保持し、このＤｅＮＢを、これらの重み付けを使用して各近隣からのＸ２メッセージを集約し、これらをＲＮへ転送するように構成することができる。上述したように、ＤｅＮＢは、宛先ＤｅＮＢの代わりに送信元ＤｅＮＢにおいて集約を行えるように重み付けテーブルを交換することもできる。例えば、ＲＮ１及びＲＮ２の重み付けテーブルが、ＲＮ３、ＲＮ４、及びＤｅＮＢ−Ｙに関して類似しており、この重み付けテーブルをＤｅＮＢ−Ｙにおいても利用できる場合、ＲＮ３及びＲＮ４の未集約のＸ２メッセージをＤｅＮＢ−ＹからＤｅＮＢ−Ｘへ送信する代わりに、すでにＤｅＮＢ−Ｙにおいて集約を行って集中的にＤｅＮＢ−Ｘへ送信し、その後ＲＮ２及びＲＮ１の入力もそれぞれ追加した後にＲＮ１及びＲＮ２へ転送することができる。
【００７９】
ＤｅＮＢ間で重み付け情報テーブルを交換できるようにすること、及びＲＮがそのＤｅＮＢへ向けて（ＵＥ測定を通じて収集したような）重み付け値を通信できるようにすることは、リリース８のＸ２アプリケーションプロトコルに基づいて実現することができる。
【００８０】
本発明の例示的な実施形態によれば、元々のＨＩＩメッセージの使用を組み合わせ、従ってこの信号集中化との関連でも使用することができる。すなわち、中継強化型ネットワークにおいて、この信号集中化を、リソース分割を可能にすることと併せて使用し、ＨＩＩメッセージ内に１ビット識別子を使用して２つの目的を区別することにより、リソース分割の要求及び許可にもＨＩＩメッセージを使用することができる。
【００８１】
本発明の例示的な実施形態によれば、中継ノードが密に展開され、同様のＸ２メッセージを受け取るようになっている複数の中継ノードが存在する場合、個々のメッセージを送信する代わりに、特別な物理チャネルを使用して、これらの中継ノード全てにＸ２メッセージを同時にブロードキャストすることができる。すなわち、中継強化型ネットワークにおいて、この信号集中化を、リソース分割を可能にすることと併せて使用し、リソース分割メッセージを圧縮することができる。
【００８２】
本発明の例示的な実施形態によれば、ＲＮからそのＤｅＮＢへのＸ２メッセージングが同期されている場合でも、同じセル内の干渉源からのメッセージ間と比較して、近隣セル内の干渉源からのメッセージ間には、ＤｅＮＢ間でＸ２メッセージを転送する必要性に起因するタイムラグが常に存在する。ＤｅＮＢは、近隣セル内の干渉源からのＸ２メッセージにこれらのタイムラグを追加した以前の報告期間からのＸ２メッセージを考慮することなどにより、このことを考慮することができる。
【００８３】
本発明の例示的な実施形態によれば、これとは別に又はこれに加えて、アクセスリンク上の負荷だけでなくバックホールリンク上の負荷も考慮し、従って近隣ＲＮ間で交換することができる。図５の例を参照して、ＲＮ１及びＲＮ２がＲＮ３及びＲＮ４に負荷情報を送信すると仮定すると、ＲＮ１及びＲＮ２のアクセスリンク上の品質及び容量情報はＤｅＮＢ−ＸからＤｅＮＢ−Ｙへ送信され、バックホールリンク上の容量及び品質情報は（ＲＮ１及びＲＮ２がバックホール機能に関して同じ無線リソースを共有している場合）、ＤｅＮＢ−ＸとＤｅＮＢ−Ｙの間で一度だけ送信することができる。このような方法は、ドナーセル内のバックホールリンクが受ける負荷も考慮してハンドオーバ閾値を設定するための最近の方法に従うものである。
【００８４】
上述した手順及び機能は、以下で説明するそれぞれの機能要素又はプロセッサなどにより実施することができる。
【００８５】
上記では、本発明の例示的な実施形態を、主に方法、手順及び機能を参照しながら説明したが、本発明の対応する例示的な実施形態は、それぞれの装置、ネットワークノード、及びシステムについても、これらのソフトウェア及び／又はハードウェアの両方を含めて対象とする。
【００８６】
以下、図６を参照しながら本発明のそれぞれの例示的な実施形態について説明するが、簡潔にするために、図４及び図５によるそれぞれの対応する方法及び動作の詳細な説明を、それぞれ図２に基づいて参照する。
【００８７】
以下の図６では、基本的に、実線ブロックが、上述したそれぞれの動作を実行するように構成される。基本的に、実線ブロックの全体は、上述した方法及び動作をそれぞれ実行するように構成される。なお、図６では、個々のブロックは、それぞれの機能、処理、又は手順をそれぞれ実行するそれぞれの機能ブロックを示すように意図される。このような機能ブロックは、実施構成に依存せず、すなわちあらゆる種類のハードウェア又はソフトウェアを使用してそれぞれ実施することができる。個々のブロックを相互接続する矢印は、これらの間の動作結合を示すためのものであり、これらの結合は物理結合であっても及び／又は論理結合であってもよく、一方では（有線又は無線などの）実施構成に依存せず、他方では、図示していない任意の数の中間機能エンティティを含むこともできる。矢印の方向は、特定の動作が行われる方向、及び／又は特定のデータが転送される方向を示すためのものである。
【００８８】
さらに、図６には、上述の方法、手順及び機能のいずれか１つに関連する機能ブロックのみを示している。当業者であれば、電源、中央処理装置又はそれぞれのメモリなどの、それぞれの構造配列の動作に必要な他のあらゆる従来の機能ブロックが存在すると認識するであろう。とりわけ、個々の機能エンティティが上述のように動作するよう制御するためのプログラム又はプログラム命令を記憶するためのメモリが設けられる。
【００８９】
図６には、本発明の例示的な実施形態による装置のブロック図を示す。上記に鑑み、ここで説明する装置は、Ｘ２／信号コンセントレータを表し、上述したようなドナー基地局、非ドナー基地局、及び／又は中継ノードゲートウェイにより、又はこれらにおいて実装することができる。
【００９０】
図６によれば、本発明の例示的な実施形態による装置は、図４及び図５に関連して説明したような手順を実行するように構成される。従って、以下では基本動作について説明するが、詳細については上記の説明を参照されたい。
【００９１】
図６に示す例示的な実施形態によれば、このように示すＸ２コンセントレータは、受信機、コンセントレータプロセッサ、及び送信機を備える。受信機は、少なくとも１つの所定のＸ２／信号インターフェイスを介して、図２のＲＮａなどの少なくとも１つの中継ノードに関連する少なくとも１つのＸ２／信号メッセージを受け取るように構成され、従って対応する信号メッセージを受け取るための手段を表すことが好ましい。コンセントレータプロセッサは、少なくとも１つの信号メッセージから、ＲＮａなどのそれぞれの中継ノードに関連する信号を無関係性及び／又は冗長性に関して集中化するように構成され、従って対応する信号を集中化するための手段を表すことが好ましい。換言すれば、コンセントレータプロセッサは、不要なメッセージをフィルタ除去するように構成することができる。送信機は、集中化された信号を信号メッセージに含めて、少なくとも１つの所定のＸ２／信号インターフェイスを介してＲＮａなどのそれぞれの中継ノードへ向けて転送するように構成され、従って対応する集中化された信号メッセージを転送（すなわち、送信）するための手段を表すことが好ましい。
【００９２】
信号のタイプが中継強化型アクセスネットワーク内のユーザ装置のモビリティに関連する場合、コンセントレータプロセッサを、ユーザ装置のモビリティが向かう中継ノードのアドレス情報を処理するように明確に構成することができる。これとは別に又はこれに加えて、信号のタイプが負荷バランシング及び／又は干渉制御に関連する場合、コンセントレータプロセッサを、中継強化型アクセスネットワークの負荷情報及び／又は中継ノード間のリソース分割、及び／又は中継強化型アクセスネットワークの中継ノードにおける干渉レベルを処理するように明確に構成することができる。
【００９３】
例示的な実施形態によれば、コンセントレータプロセッサは、少なくとも１つの受け取った信号メッセージの信号のタイプを判定するように構成され、従って信号のタイプを判定するための手段を表し、この判定された信号のタイプに関する（関連する及び／又は非冗長な）信号情報を収集するように構成され、従って集中化する情報を収集するための手段を表し、この収集した信号情報を信号メッセージに集約して転送するように構成され、従って集中化を目的として信号情報を集約するための手段を表すことが好ましい。
【００９４】
コンセントレータプロセッサは、集約を目的として、上述したような重み付け係数により、異なる中継ノードから収集した関連する及び／又は非冗長な信号情報の重み付けを適用するように明確に構成することができる。換言すれば、コンセントレータプロセッサを、転送される、すなわちフィルタ除去すべきでない信号コンテンツに適切に重み付けするように構成することができる。このような重み付けは、上述したように、それぞれの中継ノードからの信号情報が負荷バランシング及び／又は干渉制御に与える影響に従って行うことができる。
【００９５】
コンセントレータプロセッサは、上述したように、中継強化型アクセスネットワークの基地局間における重み付け係数の交換を制御し、及び／又は自動近隣関係に従って負荷情報及び／又はリソース分割及び／又は干渉レベルに基づいて適切な重み付け係数を割り当てるように明確に構成することができる。
【００９６】
例示的な実施形態によれば、このように示す装置は、シンクロナイザプロセッサをさらに備えることができる。シンクロナイザプロセッサは、中継ノード（具体的には、共通のドナー基地局により制御されるノード）からの信号メッセージの受信及び／又は中継ノードへの信号メッセージの転送を同期させるように構成され、従ってメッセージの送信及び／又は受信を同期させるための手段を表すことが好ましい。
【００９７】
コンセントレータプロセッサ及びシンクロナイザプロセッサは、別個のプロセッサユニットによって実現することもでき、又は（図６のこれらのユニットの周囲の点線ブロックで示すような）単一の共通プロセッサユニットによって実現することもできる。
【００９８】
例示的な実施形態によれば、このように示す装置が、１又はそれ以上のプロセッサに接続されたメモリをさらに備えることができる。このメモリは、本発明の実施形態による信号集中化で使用するあらゆる永続データ及び／又は一時データを記憶するように構成されることが好ましい。例えば、１又はそれ以上のプロセッサが使用できるように、特定の信号情報の冗長性及び／又は（無）関係性に関するデータ、及び／又は重み付け係数／テーブル、又は近隣関係などに関するデータをメモリに記憶することができる。
【００９９】
詳細には示していないが、本発明の例示的な実施形態によれば、上述のＸ２／信号コンセントレータに対する機能的補完を表す装置が提供される。このような装置は、ドナー基地局及び／又は中継ノードゲートウェイなどの、Ｘ２／信号コンセントレータを実装する装置を含むセルの中継ノードにより、又はこの中継ノードに実装することができる。例えば、上記の図２及び図４によれば、このような装置を、ドナー基地局ＤｅＮＢ１により制御される、この下位に存在する中継ノードＲＮａにより、又はこの中継ノードＲＮａに実装することができる。
【０１００】
本発明の例示的な実施形態によるこのような装置は、問題の中継ノードの観点について、図４及び図５に関連して説明したような手順を実行するように構成される。従って、詳細については上記の説明を参照されたい。
【０１０１】
例えば、このような装置は、少なくともプロセッサ及び／又はメモリ、並びにそれぞれの送信機及び／又は受信機ユニットを備える。このような構造の装置を、ドナー基地局との、又はドナー基地局及び近隣セルとのＸ２接続又はインターフェイスを形成するように構成することができる。また、このような構造の装置を、そのドナー基地局との間で、ＵＥモビリティ（ハンドオーバ）、ＬＢ、及びＩＣＩＣに関連するメッセージを少なくとも含むＸ２メッセージなどの全ての信号メッセージを送信及び／又は受信するように構成することもできる。従って、このような構造の装置は、このような信号メッセージを装置のドナー基地局にしか（好ましくは、各メッセージを一度しか）送信しないように構成されるので、Ｕｎインターフェイスを介したこれまでの冗長性問題を解消することができる。さらに、このような構造の装置を、例えば、自動近隣関係（ＡＮＲ）手順、及び重み付け係数計算のためのＵＥ測定の準備などに関して、上述したような中継強化型アクセスネットワークの残り部分（ドナー及び非ドナー基地局、並びに他の中継ノードを含む）と協調するように構成することができる。装置の送信機及び／又は受信機ユニットは、例えば、特別な物理チャネル上で動作するように構成することができる。
【０１０２】
本発明の例示的な実施形態によれば、システムは、このように示す（ドナー基地局などの）装置と、（下位及び／又は他の中継ノード又は他の基地局などの）他のネットワーク要素とのあらゆる考えられる組み合わせを含むことができ、これらは上述のごとく協調するように構成される。
【０１０３】
なお、一般に、上述の態様に基づくそれぞれの機能ブロック又は要素は、それぞれの部分の説明した機能のみを実施するようになっている場合、あらゆる公知の手段によりハードウェア及び／又はソフトウェアのいずれかにおいてそれぞれ実現することができる。説明した方法ステップは、個々の機能ブロックにおいて又は個々の装置により実現することができ、或いは方法ステップの１又はそれ以上を、単一の機能ブロックにおいて又は単一の装置により実現することもできる。
【０１０４】
一般に、いずれの方法ステップも、本発明の発想を変えることなくソフトウェアとして又はハードウェアにより実装するのに適している。装置及び手段は、個別の装置として実現することができるが、装置の機能が保たれる限り、システム全体にわたる分散方式で実現されることを除外するものではない。これらの及び同様の原理は、当業者にとって既知であると考えるべきである。
【０１０５】
本説明の意味におけるソフトウェアは、それぞれの機能を実行するためのコード手段又はコード部分を含むようなソフトウェアコード、又はコンピュータプログラム又はコンピュータプログラム製品、並びにそれぞれのデータ構造又はコード手段／部分を記憶するコンピュータ可読（記憶）媒体などの有形媒体上に具体化された、或いは信号又はチップ内に、場合によってはこれらの処理中に具体化されるソフトウェア（又はコンピュータプログラム又はコンピュータプログラム製品）を含む。
【０１０６】
一般に、本明細書で上述した本発明では、以下に留意されたい。
−  （機器、装置及び／又はそのモジュールの例として、或いは装置及び／又はそのモジュールを含むエンティティの例として）ソフトウェアコード部分として実現される可能性が高く、エンティティ、ネットワーク要素又は端末においてプロセッサを使用して実行される方法ステップ及び機能は、ソフトウェアコードに依存するものではなく、これらの方法ステップにより定義される機能が維持される限り、Ｊａｖａ（登録商標）、Ｃ＋＋、Ｃ、及びアセンブラなどのあらゆる既知の又は将来開発されるプログラミング言語を使用して設定することができる。
−  一般に、いずれの方法ステップも、実施される機能の面で本発明の発想を変更することなくソフトウェアとして又はハードウェアによって実現するのに適している。
−  端末又はネットワーク要素、又はそのいずれかの（単複の）モジュールにおいてハードウェア構成要素として実現される可能性が高い方法ステップ、機能、及び／又は機器、装置、ユニット、又は手段はハードウェアに依存せず、ＭＯＳ（金属酸化膜半導体）、ＣＭＯＳ（相補型ＭＯＳ）、ＢｉＭＯＳ（バイポーラＭＯＳ）、ＢｉＣＭＯＳ（バイポーラＣＭＯＳ）、ＥＣＬ（エミッタ結合型論理）、ＴＴＬ（トランジスタ−トランジスタ論理）などのいずれかの公知の又は将来開発されるハードウェア技術又はこれらのいずれかの雑種を使用して、例えばＡＳＩＣ（特定用途向けＩＣ（集積回路））構成要素、ＦＰＧＡ（フィールドプログラマブルゲートアレイ）構成要素、ＣＰＬＤ（結合プログラムマブル論理回路）構成要素又はＤＳＰ（デジタルシグナルプロセッサ）構成要素を使用して実現することができ、また、ソフトウェア構成要素として実現される可能性が高いあらゆるステップ、及び／又は機器、ユニット又は手段は、例えば、認証、許可、キーイング及び／又はトラフィック保護などを行うことができるあらゆるセキュリティアーキテクチャに基づくことができる。
−  機器、装置、ユニット又は手段は、個々の機器、装置、ユニット又は手段として実現することができるが、これは、これらの機器、装置、ユニット、回路又は手段の機能が維持される限り、これらがシステム全体にわたる分散方式で実現されることを除外するものではない。
−  装置は、半導体チップ、チップセット、又はこのようなチップ又はチップセットを含む（ハードウェア）モジュールによって表すことができるが、これは、装置又はモジュールの機能が、ハードウェアで実現される代わりに、プロセッサ上における実行／動作のための実行可能ソフトウェアコード部分を含むコンピュータプログラム又はコンピュータプログラム製品などの（ソフトウェア）モジュール内のソフトウェアとして実現される可能性を除外するものではない。
−  例えば、機器は、互いに機能的に連携しているか、又は互いに機能的には独立しているが同じ機器のハウジング内に存在するかにより、１つの装置として、或いは複数の装置の組立品として見なすことができる。
【０１０７】
本発明は、上述した方法及び構造配列の概念を適用できる限り、上述した方法ステップ及び動作のあらゆる考えられる組み合わせ、及び上述したノード、装置、モジュール又は要素のあらゆる考えられる組み合わせも対象とする。
【０１０８】
中継強化型アクセスネットワークの少なくとも１つの中継ノードに関連する少なくとも１つの信号メッセージを、少なくとも１つの所定の信号インターフェイスを介して受け取ること、この少なくとも１つの信号メッセージから、それぞれの中継ノードに関連する信号を無関係性及び／又は冗長性に関して集中化すること、及びこの集中化した信号を信号メッセージに含め、少なくとも１つの所定の信号インターフェイスを介してそれぞれの中継ノードへ向けて転送することを例示的に含む、中継強化型アクセスネットワークにおける信号送信を最適化するための対策を提供した。例示的に、この対策を、中継強化型ＬＴＥアクセスネットワークにおけるＸ２メッセージングを最適化するために応用することができる。
【０１０９】
以上、添付図面による例を参照しながら本発明について説明したが、本発明はこれに限定されるものではないと理解されたい。むしろ、当業者には、本明細書に開示するような発明の発想の範囲から逸脱することなく、本発明を多くの方法で修正できることが明らかであろう。
【図１】
2013522941.tif 000003
【図２】
2013522941.tif 000004
【図３】
2013522941.tif 000005
【図４】
2013522941.tif 000006
【図５】
2013522941.tif 000007
【図６】
2013522941.tif 000008
【国際調査報告】
2013522941.tif 000009
2013522941.tif 000010
2013522941.tif 000011